(57)【要約】  【課題】第１や第２通信モードに合わせた操作を不要とし、その操作用手段を設ける必要をなくし、第２データ通信装置の小型化、コストダウンを図る。  【解決手段】  通信手段を介して、メモリの所定データをデータ通信装置２に送信した後、データ通信装置２から所定データを受信するとそれでメモリの所定データを更新するデータ通信装置１と、通信手段を介して、第１通信モード時、データ通信装置２に送信命令の通知をして所定データを受信し、第２通信モード時、データ通信装置２に所定データと第２通信モードの通知を送信するデータ通信装置３と、通信手段を介して、所定データを受信するとメモリに記憶し、送信命令の通知を受けるとメモリの所定データを送信する一方、所定データと第２通信モードの通知を受信すると、その所定データをメモリに記憶した後、所定データを受信するとメモリの所定データを送信するデータ通信装置２とを備えた。【選択図】図１
2005079901.tif 000002
【特許請求の範囲】
【請求項１】
第１データ通信装置、第２データ通信装置および第３データ通信装置により構成され、第１通信モードの場合には、前記第１データ通信装置が所定データを前記第２データ通信装置を介して前記第３データ通信装置に送信し、第２通信モードの場合には、前記第３データ通信装置が所定データを前記第２データ通信装置を介して前記第１データ通信装置に送信するデータ伝送システムであって、
前記第１データ通信装置は、データを送受信するための第１通信手段および所定データを記憶する第１記憶手段を備え、前記第１通信手段を介して前記第１記憶手段に記憶された所定データを前記第２データ通信装置に送信し、この後、前記第１通信手段を介して前記第２データ通信装置から所定データを受信すると、この所定データで前記第１記憶手段に記憶された所定データを更新し、
前記第３データ通信装置は、データを送受信するための第３通信手段を備え、前記第１通信モードの場合には、前記第３通信手段を介して、前記第２データ通信装置に所定データ送信命令の通知をし、前記第２データ通信装置から所定データを受信し、前記第２通信モードの場合には、前記第３通信手段を介して、前記第２データ通信装置に所定データを送信するとともに前記第２通信モードであることを示す通信モードの通知をし、
前記第２データ通信装置は、データを送受信するための第２通信手段および第２記憶手段を備え、前記第２通信手段を介して所定データを受信すると、この所定データを前記第２記憶手段に記憶し、この後、前記第２通信手段を介して、前記所定データ送信命令の通知を受けると、前記第２記憶手段に記憶された所定データを送信する一方、前記第２通信手段を介して所定データを受信するとともに前記第２通信モードであることを示す通信モードの通知を受けると、この通知とともに受信した所定データを前記第２記憶手段に記憶し、この後、前記第２通信手段を介して、所定データを受信すると、前記第２記憶手段に記憶された所定データを送信する
ことを特徴とするデータ伝送システム。
【請求項２】
前記第２データ通信装置は、前記第１通信モードおよび前記第２通信モードのいずれであるかを示すフラグを前記第２記憶手段に記憶し、前記第２通信手段を介して所定データを受信するとともに前記第２通信モードであることを示す通信モードの通知を受けると、前記フラグを前記第２通信モードであることを示す状態に切り換えることを特徴とする請求項１記載のデータ伝送システム。
【請求項３】
前記第２データ通信装置は、前記第２通信手段を介して、所定データを受信し、前記第２記憶手段に記憶された所定データを送信した後、前記第２通信手段を介して受けた通知を無効にし、前記第１通信モードに戻ることを特徴とする請求項１または２記載のデータ伝送システム。
【請求項４】
前記第２データ通信装置は、前記所定データを送信した後、所定時間が経過したときに前記第２通信手段を介して受けた通知を無効にすることを特徴とする請求項３記載のデータ伝送システム。
【発明の詳細な説明】
【技術分野】
【０００１】
本発明は、第１，第２，第３データ通信装置により構成され、第１通信モードの場合には、第１データ通信装置が所定データを第２データ通信装置を介して第３データ通信装置に送信し、第２通信モードの場合には、第３データ通信装置が所定データを第２データ通信装置を介して第１データ通信装置に送信するデータ伝送システムに関するものである。
【背景技術】
【０００２】
従来、信号経路として人体を利用したデータ伝送システムが各種提案されている。例えば、特許文献１には、人体に接する２つの送信電極と、交流信号を生成する発振部と、送信するデータに基づいて交流信号を変調する変調部と、変調部により変調された変調信号に対応する電圧を２つの送信電極間に印加する電圧印加部とを備えたデータ送信装置と、大地アースと電気的に結合される回路グランドと、データ送信装置を取着した人体が接触する受信電極と、受信電極と回路グランドとを介して受信した変調信号を復調する復調部とを備えたデータ受信装置とにより構成されるデータ通信装置が記載されている。
【０００３】
特許文献２には、人体が触れることのできるように配置された電極と、交流信号を発生する発振部と、送信するデータに基づいて発振部が発生する信号を変調する変調部と、大地アースと電気的に結合される回路グランドと、変調部が変調した変調信号に対応した電圧を電極と回路グランドとの間に印加する電圧印加部とを備えたデータ送信装置と、人体に面するように配置された２つの電極と、２つの電極間の電圧を検出する電圧検出部と、電圧検出部により検出された変調信号に基づく電圧変動を復調する復調部とを備えたデータ受信装置とにより構成されるデータ通信装置が記載されている。
【０００４】
上記データ通信装置は、いずれもデータ送信装置とデータ受信装置とにより構成されているが、例えば、特許文献３に記載されたデータ伝送システムのように、送受信が可能な２つのデータ通信装置（第１および第２の送受信器）により構成されるものも提案されている。
【０００５】
これら２つのデータ通信装置のうち、人体に装着されるデータ通信装置（以下「第２データ通信装置」という）は、データを送受信するための通信手段、所定データを記憶するデータメモリ、マイコンなどによりなるコントローラおよび電池などにより構成されている。通信手段は、人体に接触する信号電極および接地電極と、送信すべきデータを変調電圧信号に変調する変調器と、変調電圧信号を信号電極および接地電極間に印加する信号送信器とにより構成される送信手段に加えて、信号電極および接地電極を入力端子として外部からの変調信号を信号受信器（信号検出器）で受信して復調器で復調することにより、外部からデータを受信する受信手段を備えている。
【０００６】
他方のデータ通信装置（以下「第３データ通信装置」という）は、データを送受信するための通信手段、データメモリ、マイコンなどによりなるコントローラおよび電源などにより構成されている。通信手段は、タッチ電極と、タッチ電極および回路グランドを入力端子として外部からの変調信号を受信する信号受信器（信号検出器）と、受信した変調信号を復調してデータを受信する復調器とにより構成される受信手段に加えて、送信すべきデータを変調器で変調電圧信号に変調して信号送信器でタッチ電極および回路グランド間に印加することにより、データを送信する送信手段を備えている。
【０００７】
そして、人体に装着される第２データ通信装置の電池寿命を従来のものに比して長くするべく、第３データ通信装置は、タッチ電極に接続され、タッチ電極に人体が触れたときにタッチ信号を発生するタッチセンサと、このタッチセンサがタッチ信号を発生したときにスタート信号（例えば均一なＡＣ電圧信号）を発生させてタッチ電極および回路グランド間に印加するスタート信号発生器（信号送信器と兼用）とを備えている。一方、第２データ通信装置は、信号電極（および回路グランドないしこれと接続される接地電極）からスタート信号を受信（検出）するスタート信号検出器（信号受信器と兼用）を備え、常時通電のスタート信号検出器がスタート信号を受信したときに、常時通電のコントローラがスリープモードを解除して本格駆動し、データメモリ、変調器、信号送信器、復調器に電池からの電力を予め設定された時間供給するように構成される。
【０００８】
なお、第３データ通信装置も、常時通電のタッチセンサがタッチ信号を発生したときに常時通電のコントローラが本格駆動し、信号受信器、復調器、変調器および信号送信器に電源を供給するようになっている。
【特許文献１】特開２００１−７７７３５号公報
【特許文献２】特開２００１−２２３６４９号公報
【特許文献３】特開２００２−９７１０号公報
【発明の開示】
【発明が解決しようとする課題】
【０００９】
ところで、第３データ通信装置がデータを受信するか送信するかの通信モードは、第３データ通信装置に接続される外部装置からの信号により切り替えられ、第２データ通信装置がデータを送信するか受信するかの通信モードは、第３データ通信装置からの信号により切り替えられる。
【００１０】
しかしながら、データ伝送システムに第１データ通信装置をさらに設け、第１通信モードの場合には、第１データ通信装置が所定データを第２データ通信装置を介して第３データ通信装置に送信し、第２通信モードの場合には、第３データ通信装置が所定データを第２データ通信装置を介して第１データ通信装置に送信する構成に拡張したとき、第２データ通信装置の通信先の装置が一義的に決まらないため、上記の方法で通信モードを切り替えることができず、通信モードに合わせた操作のための手段を第２データ通信装置に設ける必要が生じ、第２データ通信装置が大型となり、コストアップとなる課題が発生する。
【００１１】
本発明は、上記事情に鑑みてなされたものであり、第２データ通信装置において、第１通信モードおよび第２通信モードのいずれかの通信モードに合わせた操作を不要として、その操作のための手段を設ける必要をなくし、第２データ通信装置の小型化およびコストダウンを可能とするデータ伝送システムを提供することを目的とする。
【課題を解決するための手段】
【００１２】
上記課題を解決するための請求項１記載の発明は、第１データ通信装置、第２データ通信装置および第３データ通信装置により構成され、第１通信モードの場合には、前記第１データ通信装置が所定データを前記第２データ通信装置を介して前記第３データ通信装置に送信し、第２通信モードの場合には、前記第３データ通信装置が所定データを前記第２データ通信装置を介して前記第１データ通信装置に送信するデータ伝送システムであって、前記第１データ通信装置は、データを送受信するための第１通信手段および所定データを記憶する第１記憶手段を備え、前記第１通信手段を介して前記第１記憶手段に記憶された所定データを前記第２データ通信装置に送信し、この後、前記第１通信手段を介して前記第２データ通信装置から所定データを受信すると、この所定データで前記第１記憶手段に記憶された所定データを更新し、前記第３データ通信装置は、データを送受信するための第３通信手段を備え、前記第１通信モードの場合には、前記第３通信手段を介して、前記第２データ通信装置に所定データ送信命令の通知をし、前記第２データ通信装置から所定データを受信し、前記第２通信モードの場合には、前記第３通信手段を介して、前記第２データ通信装置に所定データを送信するとともに前記第２通信モードであることを示す通信モードの通知をし、前記第２データ通信装置は、データを送受信するための第２通信手段および第２記憶手段を備え、前記第２通信手段を介して所定データを受信すると、この所定データを前記第２記憶手段に記憶し、この後、前記第２通信手段を介して、前記所定データ送信命令の通知を受けると、前記第２記憶手段に記憶された所定データを送信する一方、前記第２通信手段を介して所定データを受信するとともに前記第２通信モードであることを示す通信モードの通知を受けると、この通知とともに受信した所定データを前記第２記憶手段に記憶し、この後、前記第２通信手段を介して、所定データを受信すると、前記第２記憶手段に記憶された所定データを送信することを特徴とする。
【００１３】
この構成では、第１通信モードの場合、第１データ通信装置が、第１通信手段を介して第１記憶手段に記憶された所定データを第２データ通信装置に送信し、第２データ通信装置が、第２通信手段を介してその所定データを受信すると、この所定データを第２記憶手段に記憶する。この後、第３データ通信装置が、第３通信手段を介して、第２データ通信装置に所定データ送信命令の通知をし、第２データ通信装置が、第２通信手段を介して、その所定データ送信命令の通知を受けると、第２記憶手段に記憶された所定データを送信し、第３データ通信装置が、第２データ通信装置からその所定データを受信する。これに対し、第２通信モードの場合、第３データ通信装置が、第３通信手段を介して、第２データ通信装置に所定データを送信するとともに第２通信モードであることを示す通信モードの通知をし、第２データ通信装置が、第２通信手段を介して所定データを受信するとともにその通知を受け、所定データを第２記憶手段に記憶する。この後、第１データ通信装置が、第１通信手段を介して第１記憶手段に記憶された所定データを第２データ通信装置に送信し、第２データ通信装置が、第２通信手段を介して、その所定データを受信すると、第２記憶手段に記憶された所定データを送信する。この後、第１データ通信装置が、第１通信手段を介して第２データ通信装置から所定データを受信すると、この所定データで第１記憶手段に記憶された所定データを更新する。このように、第２データ通信装置において、第１通信モードおよび第２通信モードのいずれかの通信モードに合わせた操作が不要となり、その操作のための手段を設ける必要がないので、第２データ通信装置の小型化およびコストダウンが可能となる。
【００１４】
請求項２記載の発明は、請求項１記載のデータ伝送システムにおいて、前記第２データ通信装置は、前記第１通信モードおよび前記第２通信モードのいずれであるかを示すフラグを前記第２記憶手段に記憶し、前記第２通信手段を介して所定データを受信するとともに前記第２通信モードであることを示す通信モードの通知を受けると、前記フラグを前記第２通信モードであることを示す状態に切り換えることを特徴とする。この構成では、通信モードがいずれのモードであるかを容易に把握することができる。
【００１５】
請求項３記載の発明は、請求項１または２記載のデータ伝送システムにおいて、前記第２データ通信装置は、前記第２通信手段を介して、所定データを受信し、前記第２記憶手段に記憶された所定データを送信した後、前記第２通信手段を介して受けた通知を無効にし、前記第１通信モードに戻ることを特徴とする。この構成では、第１通信モードを通常の通信モードのように扱うことにより、第２通信モードの後、通信モードを自動的にその第１通信モードに切り替えることができる。
【００１６】
請求項４記載の発明は、請求項３記載のデータ伝送システムにおいて、前記第２データ通信装置は、前記所定データを送信した後、所定時間が経過したときに前記第２通信手段を介して受けた通知を無効にすることを特徴とする。この構成では、所定時間が経過するまでに、第２記憶手段に記憶された所定データを再度送信することができるので、通信エラー時の再送信が可能となる。
【発明の効果】
【００１７】
本発明によれば、第２データ通信装置において、第１通信モードおよび第２通信モードのいずれかの通信モードに合わせた操作を不要として、その操作のための手段を設ける必要をなくし、第２データ通信装置の小型化およびコストダウンを図ることができる。
【発明を実施するための最良の形態】
【００１８】
図１，図２は本発明による一実施形態のデータ伝送システムの構成図、図３は同データ伝送システムの使用状態を示す模式図、図４は第１通信モードでの動作説明図、図５は第２通信モードでの動作説明図、図６は同データ伝送システムの第１データ通信装置の動作フロー図、図７は同データ伝送システムの第２データ通信装置の動作フロー図である。
【００１９】
本実施形態のデータ伝送システムは、図２に示すように、複数種類の商品Ｐ１，Ｐ２，…，Ｐｎの各々に対応付けられるデータ通信装置（第１データ通信装置）１と、人体に装着される図では腕時計型のデータ通信装置（第２データ通信装置）２と、データ通信装置（第３データ通信装置）３と、これに接続される外部装置４とにより構成され、第１通信モードの場合には、図１（ａ）に示すように、データ通信装置１が所定データをデータ通信装置２を介してデータ通信装置３および外部装置４に送信し、第２通信モードの場合には、図１（ｂ）に示すように、データ通信装置３および外部装置４が所定データをデータ通信装置２を介してデータ通信装置１に送信するようになっている。本実施形態では、第１通信モードは通常モードであり、第２通信モードはメンテナンスモードである。
【００２０】
データ通信装置１は、特許文献３に記載の第３データ通信装置と同様に、データを送受信するための通信手段、データメモリ、マイコンなどによりなるコントローラおよび電源などにより構成され、タッチセンサと、スタート信号発生器（信号送信器と兼用）とを備えている。データ通信装置１のデータメモリには、所定データとして、対応する商品の例えば価格が記憶される。また、データ通信装置１は、例えば、対応する商品の所に配置され、その商品を取り出すときに、タッチ電極に、データ通信装置２を装着した利用者が触れるようにして利用される。
【００２１】
データ通信装置２は、特許文献３に記載の第２データ通信装置と同様に、データを送受信するための通信手段、データメモリ、マイコンなどによりなるコントローラおよび電池などにより構成され、信号電極からスタート信号を受信するスタート信号検出器（信号受信器と兼用）を備え、スタート信号検出器がスタート信号を受信したときに、コントローラがスリープモードを解除して本格駆動し、データメモリ、変調器、信号送信器、復調器に電池からの電力を供給するようになっている。
【００２２】
データ通信装置３は、特許文献３に記載の第３データ通信装置と同様に、データを送受信するための通信手段、データメモリ、マイコンなどによりなるコントローラおよび電源などにより構成され、タッチセンサと、スタート信号発生器（信号送信器と兼用）とを備えている。
【００２３】
外部装置４は、データ通信装置３で受信された所定データを用いて所定処理を実行するものである。例えば、外部装置４が、受信した所定データに対応する商品の重量を計測する計測手段と、表示手段とを備え、本データ伝送システムが量り売りシステムとして利用される場合、計測手段により計測された重量と所定データ（単位重量当たりの価格）とを乗じて、その重量の商品の価格を表示手段に表示する処理が実行される。
【００２４】
ここで、本実施形態の特徴となる構成について説明する。データ通信装置１のコントローラは、通信手段を介してデータメモリに記憶された所定データをデータ通信装置２に送信し、この後、通信手段を介してデータ通信装置２から所定データを受信すると、この所定データでデータメモリに記憶された所定データを更新する処理を実行するように構成される。
【００２５】
データ通信装置３のコントローラは、第１通信モードの場合には、通信手段を介して、データ通信装置２に所定データ送信命令の通知を所定の信号、例えば所定のコマンドデータで送信し、データ通信装置２から所定データを受信し、第２通信モードの場合には、通信手段を介して、データ通信装置２に所定データを送信するとともに第２通信モードであることを示す通信モードの通知を所定のコマンドデータで送信する処理を実行するように構成される。
【００２６】
データ通信装置２のコントローラは、通信手段を介して所定データを受信すると、この所定データをデータメモリに記憶し、この後、通信手段を介して、所定データ送信命令の通知を受けると、データメモリに記憶された所定データを送信する一方、通信手段を介して所定データを受信するとともに第２通信モードであることを示す通信モードの通知を受けると、この通知とともに受信した所定データをデータメモリに記憶し、この後、通信手段を介して、所定データを受信すると、データメモリに記憶された所定データを送信する処理を実行するように構成される。より具体的には、第１通信モードおよび第２通信モードのいずれであるかを示すフラグをデータメモリまたはコントローラ内の記憶装置に記憶し、通信手段を介して所定データを受信するとともに第２通信モードであることを示す通信モードの通知を受けると、フラグを第２通信モードであることを示す状態に切り換える処理が実行される。また、通信手段を介して、所定データを受信し、データメモリに記憶された所定データを送信した後、所定時間が経過したときに通信手段を介して受けた通知を無効にし、第１通信モードに戻る処理が実行される。
【００２７】
なお、図３において、ＴＥは、データ通信装置１またはデータ通信装置２のタッチ電極である。
【００２８】
次に、本実施形態の特徴となる動作について説明する。先ず、第１通信モードでの動作について説明する。データ通信装置１の待機状態時に（図６のＳ１００）、図３に示すように、データ通信装置２を装着した利用者がデータ通信装置１のタッチ電極ＴＥに触れると、データ通信装置１のタッチセンサがそれを検知して（図４（ａ）のＳ１０１）、タッチ信号を発生する。この後、データ通信装置１のコントローラが起動し（Ｓ１０２）、スタート信号を発生させてタッチ電極および回路グランド間に印加することにより、スタート信号をデータ通信装置２に送信し、続いて通信手段を介してデータメモリに記憶された所定データをデータ通信装置２に送信する（Ｓ１０３）。
【００２９】
データ通信装置２において、待機状態時に（図７のＳ２００）、スタート信号を受信すると、データ通信装置２のコントローラが起動し（Ｓ２０１）、「ＦＬＧ２」をクリアし（Ｓ２０２）、通信手段を介して上記所定データを受信する（Ｓ２０３でＹｅｓ，Ｓ２０４でＮｏ，Ｓ２０５でＮｏ，Ｓ２０６でＹｅｓ）。この後、データ通信装置２のコントローラは、フラグ（図４（ａ）では「ＦＬＧ」、図７では「ＦＬＧ１」）を確認し、フラグがセットされていないので（Ｓ２１３でＹｅｓ）、通信手段を介してデータ受信通知をコマンドデータでデータ通信装置１に送信し、受信した所定データをデータメモリに記憶する（Ｓ２１７）。この後、待機状態に戻る（Ｓ２０８でＮｏ）。
【００３０】
データ通信装置１において、データ通信装置１のコントローラは、通信手段を介してデータ受信通知をコマンドデータで受信すると（Ｓ１０４でＹｅｓ，Ｓ１０５でＹｅｓ）、待機状態に戻る。
【００３１】
この後、データ通信装置３の待機状態時に、図３に示すように、データ通信装置２を装着した利用者がデータ通信装置３のタッチ電極ＴＥに触れると、データ通信装置３のタッチセンサがそれを検知して（図４（ｂ）のＳ３０１）、タッチ信号を発生する。この後、データ通信装置３のコントローラが起動し（Ｓ３０２）、外部装置４と所定の通信（図４（ｂ）ではデータの送受信）をする（Ｓ３０３，Ｓ３０４）。データ通信装置３のコントローラは、上記所定の通信により、第１通信モードで通信をするか、第２通信モードで通信をするかを決定する。ここでは、データ通信装置３のコントローラが、例えば外部装置４側の操作入力手段に対する操作入力などで決定された通信モードを示すデータを受け、このデータによって示される通信モードが第１通信モードであり、第１通信モードで通信をすることを決定したとする。この場合、データ通信装置３のコントローラは、上記所定の通信後、スタート信号を発生させてタッチ電極および回路グランド間に印加することにより、スタート信号をデータ通信装置２に送信し、続いて通信手段を介して、データ通信装置２に所定データ送信命令の通知をコマンドデータで送信する（Ｓ３０５）。
【００３２】
データ通信装置２において、待機状態時に（図７のＳ２００）、スタート信号を受信すると、データ通信装置２のコントローラが起動し（Ｓ２０１）、「ＦＬＧ２」をクリアし（Ｓ２０２）、通信手段を介して上記所定データ送信命令の通知をコマンドデータで受信する（Ｓ２０３でＹｅｓ，Ｓ２０４でＹｅｓ）。この後、データ通信装置２のコントローラは、通信手段を介してデータメモリに記憶された所定データをデータ通信装置３に送信する（Ｓ２０７）。この後、待機状態に戻る（Ｓ２０８でＮｏ）。
【００３３】
データ通信装置３において、データ通信装置３のコントローラは、通信手段を介してデータ通信装置２から所定データを受信し（Ｓ３０６）、これを外部装置４に送信し（Ｓ３０７）、待機状態に戻る。これにより、外部装置４は、データ通信装置３から所定データを受信し、その所定データを用いて所定処理（データ処理）を実行する。
【００３４】
次に、第２通信モードでの動作について説明する。データ通信装置３の待機状態時に、図３に示すように、データ通信装置２を装着した利用者がデータ通信装置３のタッチ電極ＴＥに触れると、データ通信装置３のタッチセンサがそれを検知して（図５（ａ）のＳ３０１）、タッチ信号を発生する。この後、データ通信装置３のコントローラが起動し（Ｓ３０２）、外部装置４と所定の通信をする（Ｓ３０３，Ｓ３０４）。ここで、データ通信装置３のコントローラは、上記所定の通信により、第２通信モードで通信をすることを決定したとする。この場合、データ通信装置３のコントローラは、上記所定の通信後、スタート信号を発生させてタッチ電極および回路グランド間に印加することにより、スタート信号をデータ通信装置２に送信し、続いて通信手段を介して、データ通信装置２に更新用の所定データを送信するとともに第２通信モードであることを示す通信モードの通知をコマンドデータで送信する（Ｓ３１０）。
【００３５】
データ通信装置２において、待機状態時に（図７のＳ２００）、スタート信号を受信すると、データ通信装置２のコントローラが起動し（Ｓ２０１）、「ＦＬＧ２」をクリアし（Ｓ２０２）、通信手段を介して、第２通信モードであることを示す通信モードの通知を受けるとともに、所定データを受信する（Ｓ２０３でＹｅｓ，Ｓ２０４でＮｏ，Ｓ２０５でＹｅｓ）。第２通信モードであることを示す通信モードの通知とともに所定データを受信すると、データ通信装置２のコントローラは、その所定データを更新用データとして処理を続行し、通信手段を介してデータ受信通知をコマンドデータでデータ通信装置３に送信し（Ｓ２１０）、受信した所定データをデータメモリに記憶し（Ｓ２１１）、「ＦＬＧ１」をセットする（Ｓ２１２）。この後、待機状態に戻る（Ｓ２０８でＮｏ）。
【００３６】
データ通信装置３において、データ通信装置３のコントローラは、通信手段を介してデータ受信通知を受けると（Ｓ３１１）、待機状態に戻る。
【００３７】
この後、データ通信装置１の待機状態時に（図６のＳ１００）、図３に示すように、データ通信装置２を装着した利用者がデータ通信装置１のタッチ電極ＴＥに触れると、データ通信装置１のタッチセンサがそれを検知して（図５（ｂ）のＳ１０１）、タッチ信号を発生する。この後、データ通信装置１のコントローラが起動し（Ｓ１０２）、スタート信号を発生させてタッチ電極および回路グランド間に印加することにより、スタート信号をデータ通信装置２に送信し、続いて通信手段を介してデータメモリに記憶された（更新前の）所定データをデータ通信装置２に送信する（Ｓ１０３）。
【００３８】
データ通信装置２において、待機状態時に（図７のＳ２００）、スタート信号を受信すると、データ通信装置２のコントローラが起動し（Ｓ２０１）、「ＦＬＧ２」をクリアし（Ｓ２０２）、通信手段を介して上記所定データを受信する（Ｓ２０３でＹｅｓ，Ｓ２０４でＮｏ，Ｓ２０５でＮｏ，Ｓ２０６でＹｅｓ）。この後、データ通信装置２のコントローラは、フラグを確認し、フラグがセットされているので（Ｓ２１３でＮｏ）、通信手段を介してデータメモリに記憶された（更新用の）所定データをデータ通信装置１に送信し（Ｓ２１４）、「ＦＬＧ２」をセットする（Ｓ２１５）。この後、ステップＳ２０３に戻り、所定時間内にデータ通信装置１から所定データを再度受信すれば、ステップＳ２１４側に進み、所定時間が経過すれば、ＦＬＧ１をクリアして待機状態に戻る（Ｓ２０８でＹｅｓ，Ｓ２０９）。
【００３９】
データ通信装置１において、データ通信装置１のコントローラは、通信手段を介して所定データを受信すると（Ｓ１０４でＹｅｓ，Ｓ１０５でＮｏ，Ｓ１０６でＹｅｓ）、その所定データでデータメモリに記憶された所定データを更新し（Ｓ１０７）、待機状態に戻る。
【００４０】
本実施形態によれば、データ通信装置２において、第１通信モードおよび第２通信モードのいずれかの通信モードに合わせた操作を不要として、その操作のための手段を設ける必要をなくし、データ通信装置２の小型化およびコストダウンを図ることができる。
【００４１】
なお、データ通信装置１にＬＥＤなどの表示手段を備え、図１０のステップＳ１０７において、所定データを更新した場合、データ通信装置１のコントローラが、表示手段を点灯ないし点滅することにより、所定データを更新した旨を明示するようにしてもよい。これにより、もし表示手段が点灯ないし点滅しなければ、図９のステップＳ２１５の後、所定時間内に更新用の所定データをデータ通信装置１に再度送信することができる。また、この場合、本格駆動後、電力を予め設定された時間供給し、図９のステップＳ２０３に戻るようにすることにより、再起動の動作を省略することができる。
【図面の簡単な説明】
【００４２】
【図１】本発明による一実施形態のデータ伝送システムの構成図である。
【図２】同データ伝送システムの構成図である。
【図３】同データ伝送システムの使用状態を示す模式図である。
【図４】第１通信モードでの動作説明図である。
【図５】第２通信モードでの動作説明図である。
【図６】同データ伝送システムの第１データ通信装置の動作フロー図である。
【図７】同データ伝送システムの第２データ通信装置の動作フロー図である。
【符号の説明】
【００４３】
１  データ通信装置（第１データ通信装置）
２  データ通信装置（第２データ通信装置）
３  データ通信装置（第３データ通信装置）
４  外部装置
【図１】
2005079901.tif 000003
【図２】
2005079901.tif 000004
【図３】
2005079901.tif 000005
【図４】
2005079901.tif 000006
【図５】
2005079901.tif 000007
【図６】
2005079901.tif 000008
【図７】
2005079901.tif 000009